(57)【要約】【課題】  将来的に映像音源が多様化した場合でも、当該各映像音源に柔軟に対応して映像と音声の不整合の発生を防止することが可能な情報処理装置を提供する。【解決手段】  外部の映像音源から出力される映像情報及び音情報を、夫々表示用及び放音用に処理する情報処理装置Ｓにおいて、相互に種類が異なる複数の映像音源（Ｄ、Ｖ、Ｐ）から出力されて来る音声信号Ｓain1、Ｓain2及びＳain3が、当該種類毎に別個に入力される複数の音声入力端子（Ａ１、Ａ２、Ａ３）と、各音声入力端子（Ａ１、Ａ２、Ａ３）を介して入力されてきた音声信号のいずれかを選択するスイッチＳＷ２と、選択され音声信号が出力されて来た映像音源の種類に対応した遅延時間を用いて当該音声信号を遅延させる遅延部１と、を備える。【選択図】  図１
2006245985.tif 000002
【特許請求の範囲】
【請求項１】
外部の映像音出力装置から出力される映像情報及び音情報を、夫々表示用及び放音用に処理する情報処理装置において、
相互に種類が異なる複数の前記映像音出力装置から出力されて来る前記音信号が、当該種類毎に別個に入力される複数の音入力端子と、
各前記音入力端子を介して入力されてきた前記音信号のいずれかを選択し、選択音信号として出力する選択手段と、
前記選択手段により選択され前記選択音信号として出力された前記音信号が出力されて来た前記映像音出力装置の種類に対応して予め設定された遅延時間を用いて前記選択音信号を遅延させ、遅延音信号として放音用に出力する遅延手段と、
を備えることを特徴とする情報処理装置。
【請求項２】
請求項１に記載の情報処理装置において、
前記遅延音信号を、当該遅延音信号の原信号である前記音信号が出力されて来た前記映像音出力装置から出力されて来た前記映像信号に同期させて放音用に出力する制御手段を更に備えることを特徴とする情報処理装置。
【請求項３】
請求項１又は２に記載の情報処理装置において、
前記種類毎の前記遅延時間を示す遅延時間情報を当該各種類毎に記憶する記憶手段を更に備え、
前記遅延手段は、前記記憶されている遅延時間情報を読み出して前記選択音信号を遅延させることを特徴とする情報処理装置。
【請求項４】
請求項３に記載の情報処理装置において、
前記記憶手段は、前記遅延時間情報を当該各種類毎に複数記憶することを特徴とする情報処理装置。
【請求項５】
請求項３又は４に記載の情報処理装置において、
前記種類毎の前記遅延時間を、当該種類毎に設定するために用いられる設定手段を更に備えることを特徴とする情報処理装置。
【請求項６】
請求項１から５のいずれか一項に記載の情報処理装置と、
前記出力された遅延音信号を遅延させる際に用いられた前記遅延時間に対応する種類の前記映像音出力装置から出力されてきた前記映像情報に対応する映像を表示する表示手段と、
前記出力されて来た遅延音信号に対応する音を放音するスピーカ手段と、
を備えることを特徴とする表示装置。
【請求項７】
外部の映像音出力装置から出力される映像情報及び音情報を、夫々表示用及び放音用に処理する情報処理方法であって、相互に種類が異なる複数の前記映像音出力装置から出力されて来る前記音信号が当該種類毎に別個に入力される複数の音入力端子を備える情報処理装置において実行される情報処理方法において、
各前記音入力端子を介して入力されてきた前記音信号のいずれかを選択し、選択音信号として出力する選択工程と、
前記選択工程において選択され前記選択音信号として出力された前記音信号が出力されて来た前記映像音出力装置の種類に対応して予め設定された遅延時間を用いて前記選択音信号を遅延させ、遅延音信号として放音用に出力する遅延工程と、
を含むことを特徴とする情報処理方法。
【発明の詳細な説明】
【技術分野】
【０００１】
本願は、情報処理装置、情報処理方法及び表示装置の技術分野に属し、より詳細には、対応する内容を有する映像信号との間で時間的に整合性を取りつつ出力される音信号に対する処理を行う情報処理装置及び情報処理方法並びに当該情報処理装置を含む表示装置の技術分野に属する。
【背景技術】
【０００２】
近年、映像及び音声の高品質化に伴い、例えば光ディスクプレーヤにおいて光ディスクから再生された映画を、例えばＰＤＰ（Plasma Display Panel）等の大画面を用いて音声と共に出力させることが一般化してきた。
【０００３】
ここで、一般に、上記一つの光ディスクから再生された映画を構成する映像情報と音声情報とであっても、夫々の符号化・復号形式の違いに起因する復号速度の違いにより、映像情報が表示出力可能な状態にまで復号されるまでに要する時間と、音声情報がスピーカにおいて放音可能な状態にまで復号されるまでに要する時間と、が相違することがある。そして、このような時間差が生じると、その結果として表示される映像と放音される音とが時間的に整合しない状態となって正常な再生ができない状態となる。
【０００４】
そこで、このような時間的な不整合を解消するための従来技術として、例えば本出願人による下記特許文献１に記載された技術がある。
【特許文献１】特開２００１−３６８６９公報
【０００５】
ここで、当該特許文献１に開示されている発明では、映像信号としての入力信号が、通常の映像信号であるか、或いは元々映画用のコマ数を有する素材であったものをテレビジョン装置用の単位時間当たりの画像数に変換して（いわゆるテレシネ変換して）得られた映像信号であるかを指定し、テレシネ変換されて得られた映像信号を再生する場合には、同時に再生されるべき音声信号をフレーム単位で遅延させて映像と音声の整合を取ることとされている。
【発明の開示】
【発明が解決しようとする課題】
【０００６】
しかしながら、上述した特許文献１に開示されている従来技術によると、テレシネ変換により得られた映像信号及び通常の映像信号のみをその対象としており、現状のように映像源又は音源（以下、単に映像音源と称する）が多様化した場合には対応が不可能である。また当該従来技術は、そのような多様化した映像音源の存在を前提としたものでもない。
【０００７】
更に、音声信号に施すべき遅延処理における遅延時間も一通りに固定されているため、どのような音声信号が入力された場合でもその一通りに固定された遅延時間を用いて遅延処理を施すこととなり、結果として映像信号及び音声信号が多様化した場合には反って映像情報と音声情報との乖離が広がってしまう場合をあるという問題点があった。
【０００８】
そこで、本願は上記の各問題点に鑑みて為されたもので、その目的の一例は、将来的に映像音源が多様化した場合でも、当該各映像音源に柔軟に対応して映像と音声の不整合の発生を防止することが可能な情報処理装置及び情報処理方法及、当該情報処理用のプログラム並びに情報処理用プログラムがコンピュータで読取可能に記録された情報記録媒体を提供することにある。
【課題を解決するための手段】
【０００９】
上記の課題を解決するために、請求項１に記載の発明は、外部の映像音出力装置から出力される映像情報及び音情報を、夫々表示用及び放音用に処理する情報処理装置において、相互に種類が異なる複数の前記映像音出力装置から出力されて来る前記音信号が、当該種類毎に別個に入力される複数の音入力端子と、各前記音入力端子を介して入力されてきた前記音信号のいずれかを選択し、選択音信号として出力するスイッチ等の選択手段と、前記選択手段により選択され前記選択音信号として出力された前記音信号が出力されて来た前記映像音出力装置の種類に対応して予め設定された遅延時間を用いて前記選択音信号を遅延させ、遅延音信号として放音用に出力する遅延部等の遅延手段と、を備える。
【００１０】
上記の課題を解決するために、請求項６に記載の発明は、請求項１から５のいずれか一項に記載の情報処理装置と、前記出力された遅延音信号を遅延させる際に用いられた前記遅延時間に対応する種類の前記映像音出力装置から出力されてきた前記映像情報に対応する映像を表示するディスプレイ等の表示手段と、前記出力されて来た遅延音信号に対応する音を放音するスピーカ等のスピーカ手段と、を備える。
【００１１】
上記の課題を解決するために、請求項７に記載の発明は、外部の映像音出力装置から出力される映像情報及び音情報を、夫々表示用及び放音用に処理する情報処理方法であって、相互に種類が異なる複数の前記映像音出力装置から出力されて来る前記音信号が当該種類毎に別個に入力される複数の音入力端子を備える情報処理装置において実行される情報処理方法において、各前記音入力端子を介して入力されてきた前記音信号のいずれかを選択し、選択音信号として出力する選択工程と、前記選択工程において選択され前記選択音信号として出力された前記音信号が出力されて来た前記映像音出力装置の種類に対応して予め設定された遅延時間を用いて前記選択音信号を遅延させ、遅延音信号として放音用に出力する遅延工程と、を含む。
【発明を実施するための最良の形態】
【００１２】
次に、本願を実施するための最良の形態について、図面に基づいて説明する。なお、以下に説明する実施形態は、複数種類の映像音源からの映像信号又は音声信号が入力され、これら映像信号又は音声信号に対応する映像の表示又は音声の出力（放音）を行う表示装置に対して本願を適用した場合の実施の形態である。
【００１３】
また、図１は実施形態に係る表示装置の概要構成を示すブロック図である。
【００１４】
図１に示すように、実施形態に係る表示装置Ｓは、三系統の入力系統を備える表示装置であって、夫々の入力系統から入力されてきた映像信号及び音声信号を、夫々表示又は放音させる機能を有するものである。
【００１５】
更に、以下に説明する実施形態において、上述した映像音源として具体的には、光ディスクプレーヤＤと、ビデオテープレコーダＶと、コンピュータＰと、を夫々別個に表示装置Ｓに接続する場合について説明する。
【００１６】
すなわち、実施形態に係る表示装置Ｓに接続される上記光ディスクプレーヤＤは、映画等が記録されている光ディスクから当該映画等に対応する映像情報及び音声情報を再生し、当該再生された映像情報及び音声情報に夫々対応する映像信号及び音声信号を夫々別個に表示装置Ｓに出力する。また、実施形態に係る表示装置Ｓに接続される上記ビデオテープレコーダＶは、映画等が記録されているビデオテープから当該映画等に対応する映像情報及び音声情報を再生し、当該再生された映像情報及び音声情報に夫々対応する映像信号及び音声信号を夫々別個に表示装置Ｓに出力する。更に、実施形態に係る表示装置Ｓに接続される上記コンピュータＰは、例えば当該コンピュータＰを用いてインターネット等を介して取得された映画等に対応する映像情報及び音声情報を再生し、当該再生された映像情報及び音声情報に夫々対応する映像信号及び音声信号を夫々別個に表示装置Ｓに出力する。
【００１７】
図１に示すように、実施形態に係る表示装置Ｓは、上記光ディスクプレーヤＤからの映像信号Ｓvin1が入力される映像入力端子Ｖ１と、上記ビデオテープレコーダＶからの映像信号Ｓvin2が入力される映像入力端子Ｖ２と、上記コンピュータＰからの映像信号Ｓvin3が入力される映像入力端子Ｖ３と、上記光ディスクプレーヤＤからの音声信号Ｓain1が入力される音声入力端子Ａ１と、上記ビデオテープレコーダＶからの音声信号Ｓain2が入力される音声入力端子Ａ２と、上記コンピュータＰからの音声信号Ｓain3が入力される音声入力端子Ａ３と、を備えている。
【００１８】
これに加えて、実施形態に係る表示装置Ｓは、スイッチＳＷ１及び選択手段としてのスイッチＳＷ２と、遅延手段としての遅延部１と、ボリウム・トーン部２と、アンプ部３と、スピーカ手段としてのスピーカ４と、画像処理部５と、表示手段としてのディスプレイ６と、制御手段としてのＣＰＵ７と、動作表示部８と、操作部９と、不揮発性メモリ領域及び揮発性メモリ領域を共に含む記憶手段としてのメモリ１０と、により構成されている。
【００１９】
ここで、メモリ１０内の不揮発性メモリ領域には、上記映像信号Ｓvin1及び音声信号Ｓain1が光ディスクプレーヤＤから夫々入力されてきた場合において当該音声信号Ｓain1に対して施すべき遅延処理に用いられる遅延時間（例えば、図１に示す場合は５００ミリ秒）を示す遅延時間情報１０Ａが、予め定められた上で上記映像入力端子Ｖ１及び音声入力端子Ａ１を識別するための識別情報Ｆ１と共に記憶されている。これと同様に、当該不揮発性メモリ領域には、上記映像信号Ｓvin2及び音声信号Ｓain2がビデオテープレコーダＶから夫々入力されてきた場合において当該音声信号Ｓain2に対して施すべき遅延処理に用いられる遅延時間（例えば、図１に示す場合は４５０ミリ秒）が、予め定められた上で上記映像入力端子Ｖ２及び音声入力端子Ａ２を識別するための識別情報Ｆ２と共に遅延時間情報１０Ｂとして記憶されており、更に、上記映像信号Ｓvin3及び音声信号Ｓain3がコンピュータＰから夫々入力されてきた場合において当該音声信号Ｓain3に対して施すべき遅延処理に用いられる遅延時間（例えば、図１に示す場合は１５０ミリ秒）が、予め定められた上で上記映像入力端子Ｖ３及び音声入力端子Ａ３を識別するための識別情報Ｆ３と共に遅延時間情報１０Ｃとして記憶されている。
【００２０】
次に、動作を説明する。
【００２１】
初めに、表示装置Ｓを用いて映像が表示されると共に音声が出力される映像音源として、上記光ディスクプレーヤＤ、ビデオテープレコーダＶ又はコンピュータＰのいずれか一つが、夫々に対応する映像入力端子Ｖ１及び音声入力端子Ａ１、映像入力端子Ｖ２及び音声入力端子Ａ２又は映像入力端子Ｖ３及び音声入力端子Ａ３のいずれかに接続される。ここで、いずれの映像音源がいずれの入力端子に接続されたかは、使用者により操作部９において指示され、当該指示内容に対応する指示信号Ｓopが操作部９からＣＰＵ７へ出力されることで、当該ＣＰＵ７において上記いずれの映像音源がいずれの入力端子に接続されたが認識される。
【００２２】
次に、当該いずれの映像音源がいずれの入力端子に接続されたかを認識したＣＰＵ１０は、スイッチＳＷ１及びＳＷ２に対して夫々制御信号Ｓvsc及びＳascを出力し、当該スイッチＳＷ１及びＳＷ２を、いずれかの映像音源が接続されている入力端子に切り換える。
【００２３】
これにより、スイッチＳＷ１及びＳＷ２は、切り換えられた映像信号及び音声信号を、夫々映像信号Ｓvsw及び音声信号Ｓaswとして画像処理部５及び遅延部１に出力する。
【００２４】
次に、上記映像信号Ｓvswが入力された画像処理部５は、ＣＰＵ７からの制御信号Ｓvccに基づいて、当該映像信号Ｓvswに対し、予めその映像信号Ｓvswについて定められている画像復号方式に則って復号処理を施し、復号画像信号Ｓvoutとしてディスプレイ６に出力する。
【００２５】
これにより、ディスプレイ６は、当該復号画像信号Ｓvoutに含まれている画像を表示する。
【００２６】
一方、上記音声信号Ｓaswが入力された遅延部１には、ＣＰＵ７から、当該音声信号Ｓaswに対応してメモリ１０の不揮発性メモリ領域内に格納されていた遅延時間情報（すなわち、上記遅延時間情報１０Ａ乃至１０Ｃのうち、当該音声信号Ｓaswに対応する映像音源に対応する遅延時間情報）が予め制御信号Ｓdcとして出力されており、当該遅延時間情報により示される遅延時間が遅延部１において設定されている。
【００２７】
このため、ＣＰＵ７は、上記操作部９からの指示信号Ｓopに基づいて認識した映像音源に対応する上記遅延時間情報をメモリ１０からメモリ信号Ｓmとして読み出し、これを上記制御信号Ｓdcとして遅延部１に出力する。
【００２８】
次に、遅延部１は、当該予め設定されている遅延時間により上記音声信号Ｓaswを遅延し、遅延音声信号Ｓdaとしてボリウム・トーン部２に出力する。
【００２９】
そして、ボリウム・トーン部２は、ＣＰＵ７からの制御信号Ｓvcに基づいて遅延音声信号Ｓdaにおける音質等を調整し、調整音声信号Ｓvaとしてアンプ部３に出力する。
【００３０】
これにより、アンプ部３は、ＣＰＵ７からの制御信号Ｓacに基づき、当該調整音声信号Ｓvaを予め設定された増幅率にて増幅し、増幅音声信号Ｓaoutとしてスピーカ４へ出力する。
【００３１】
そして、スピーカ４は、当該増幅音声信号Ｓaoutに対応する音を放音する。
【００３２】
ここで、ＣＰＵ７は、操作部９からの指示信号Ｓopに基づいて、映像音源が切り換えられたことを認識したときは、当該切換後の映像音源に対応する上記遅延時間情報１０Ａ乃至１０Ｃのうちのいずれかをメモリ１０から読み出し、制御信号Ｓdcとして遅延部１に出力することで、当該遅延部１において対応する遅延時間を設定させる。
【００３３】
なお、画像処理部５からの復号画像信号Ｓvout自体の出力タイミングと、アンプ部３からの当該復号画像信号Ｓvoutに対応する増幅音声信号Ｓaout自体の出力タイミングとの整合は、夫々ＣＰＵ７からの制御信号Ｓdcにより制御される。
【００３４】
また、上述した一連の動作において、ＣＰＵ７は、操作部９からの指示信号Ｓopに基づき、当該指示信号Ｓopにより示される動作が実現されるように上記各構成部材を統括制御する。
【００３５】
このとき、当該統括制御に必要な情報は、メモリ信号Ｓmとしてメモリ１０の揮発性メモリ領域内に一時的に記憶された後、必要に応じて再度メモリ信号Ｓmとして読み出され、当該ＣＰＵ７における処理に供される。
【００３６】
また、上述した表示装置Ｓの動作状態は、ＣＰＵ７からの表示信号Ｓdpに基づき、液晶ディスプレイ等からなる動作表示部８において表示される。
【００３７】
以上説明したように、実施形態に係る表示装置Ｓの動作によれば、いずれかの音声入力端子Ａ１乃至Ａ３の選択に基づき、当該音声入力端子を介して入力されるいずれかの音声信号Ｓain1乃至Ｓain3の出力元である映像音源の種類に応じて予め設定された遅延時間を用いて当該入力された音声信号Ｓain1乃至Ｓain3のいずれかに対応する音声信号Ｓaswを遅延させるので、音声信号の出力元である映像音源の種類に応じて適切に音声信号Ｓaswを遅延させることができる。
【００３８】
従って、同じ映像音源から出力された映像と音との時間的な不整合の発生を、将来的に種類が拡大する場合を含めて幅広い当該種類の映像音源について効果的に防止することができる。
【００３９】
また、音声信号Ｓaswを遅延させる際に、映像音源の種類に応じて当該種類毎に予め記憶されている遅延時間情報１０Ａ乃至１０Ｃのいずれかを読み出して用いるので、簡易な構成で当該各種類毎に音声信号Ｓaswを正確に遅延させることができる。
【００４０】
更に、映像音源の種類毎の遅延時間を、使用者が各種類毎に任意に設定し得るので、音信号遅延の自由度をより高めることができる。
【００４１】
また、遅延させた音声信号Ｓaswが出力されて来た映像音源から当該音声信号Ｓaswと共に出力されて来た映像信号Ｓvswを、遅延させた音声信号Ｓaswと並行して表示することで、その映像信号Ｓvswに基づく映像と、遅延させた音声信号Ｓaswに基づく音と、を、時間的により正確に整合させて表示及び放音することができる。
【００４２】
なお、上述した実施形態では、メモリ１０に記憶されている遅延時間情報１０Ａ乃至１２０Ｃにおける遅延時間を、対応する映像音源の種類にのみ依存して設定することとしたが、これ以外に、その種類に依存する遅延時間から使用者が任意に変更した遅延時間を用いて音声信号Ｓaswを遅延させるように構成することもできる。
【００４３】
また、情報処理装置Ｓとしての入力系統の数は、上述した三つに限らず四つ以上でもよい。
【００４４】
更に、上述したＣＰＵ７としての動作を示すプログラムをフレキシブルディスク又はハードディスク等の情報記録媒体に記録しておき、又はインターネット等を介して取得して記録しておき、これらを汎用のコンピュータで読み出して実行することにより、当該コンピュータを上記ＣＰＵ７として活用することも可能である。
【図面の簡単な説明】
【００４５】
【図１】実施形態の表示装置の概要構成を示すブロック図である。
【符号の説明】
【００４６】
１    遅延部
７    ＣＰＵ
９    操作部
１０    メモリ
１０Ａ、１０Ｂ、１０Ｃ    遅延時間情報
Ｄ    光ディスクプレーヤ
Ｖ    ビデオテープレコーダ
Ｐ    コンピュータ
Ｆ１、Ｆ２、Ｆ３    識別情報
Ｖ１、Ｖ２、Ｖ３    映像入力端子
Ａ１、Ａ２、Ａ３    音声入力端子
【図１】
2006245985.tif 000003